(57)【要約】      （修正有）【課題】合計された請求金額に対する支払いにおける、利用者の利便性を向上させる方法を提供する。【解決手段】決済装置１００は、利用者の未払い取引の一覧を含む取引に関する情報を当該未払い取引の取引主の端末装置に送信し、所定の優先順、支払期限、未払い取引が受け付けられた受付日または未払い取引の支払額に基づいて並べた未払い取引の一覧を前記端末装置に表示し、利用者によって選択された取引済で決済が行われていない複数の未払い取引の決済要求を一括して受け付け、受け付けられた決済要求に対応する取引を決済する。【選択図】図３
2015203887.tif 000002
【特許請求の範囲】
【請求項１】
利用者によって選択された取引済で決済が行われていない複数の未払い取引の決済要求を一括して受け付ける受付部と、
前記受付部によって受け付けられた決済要求に対応する取引を決済する決済部と
を備えたことを特徴とする決済装置。
【請求項２】
前記未払い取引の一覧を含む前記取引に関する情報を当該未払い取引の取引主の端末装置に送信する送信部
をさらに備えることを特徴とする請求項１に記載の決済装置。
【請求項３】
前記送信部は、
所定の優先順に並べた前記未払い取引の一覧を前記端末装置に送信する
ことを特徴とする請求項１または２に記載の決済装置。
【請求項４】
前記送信部は、
前記未払い取引を当該未払い取引の支払期限、当該未払い取引が受け付けられた受付日または当該未払い取引の支払額に基づいて並べた当該未払い取引の一覧を前記端末装置に送信する
ことを特徴とする請求項３に記載の決済装置。
【請求項５】
前記受付部は、
利用者によって選択された未払い取引を受け付け、
前記送信部は、
前記受付部によって受け付けられた未払い取引の支払額の合計額を示す識別子であって前記利用者が当該合計額を入金する際に用いる入金用の識別子に関する情報を前記利用者の端末装置に送信する
ことを特徴とする請求項２〜４のいずれか１つに記載の決済装置。
【請求項６】
前記未払い取引が受け付けられたときから所定の期間が経過した場合に、前記未払い取引を取消し取引として登録する登録部
をさらに備えることを特徴とする請求項１〜５のいずれか１つに記載の決済装置。
【請求項７】
前記未払い取引の取引主の入金を受け付ける入金部
をさらに備え、
前記決済部は、
前記入金部によって前記未払い取引の支払額以上の金額が入金された場合に、前記取引主が入金した入金額から前記支払額を引き落とす
ことを特徴とする請求項１〜６のいずれか１つに記載の決済装置。
【請求項８】
前記決済部は、
前記入金部によって複数の前記未払い取引の支払額の合計額未満の金額が入金された場合に、前記複数の未払い取引のうち前記入金額未満の支払額の未払い取引を決済する
ことを特徴とする請求項７に記載の決済装置。
【請求項９】
前記決済部は、
前記入金部によって前記未払い取引の支払額の合計額未満の金額が入金された場合に、前記複数の未払い取引のうち前記入金額未満の支払額の未払い取引を、所定の優先順位の順に決済する
ことを特徴とする請求項８に記載の決済装置。
【請求項１０】
前記決済部は、
前記入金部によって前記未払い取引の支払額の合計額未満の金額が入金された場合に、前記複数の未払い取引のうち前記入金額未満の支払額の未払い取引を、当該未払い取引の支払期限、当該未払い取引が受け付けられた受付日または当該未払い取引の支払額に応じた優先順位の順に決済する
ことを特徴とする請求項９に記載の決済装置。
【請求項１１】
決済装置が実行する決済方法であって、
利用者によって選択された取引済で決済が行われていない複数の未払い取引の決済要求を一括して受け付ける受付工程と、
前記受付工程によって受け付けられた決済要求に対応する取引を決済する決済工程と
を含んだことを特徴とする決済方法。
【請求項１２】
利用者によって選択された取引済で決済が行われていない複数の未払い取引の決済要求を一括して受け付ける受付手順と、
前記受付手順によって受け付けられた決済要求に対応する取引を決済する決済手順と
をコンピュータに実行させることを特徴とする決済プログラム。
【発明の詳細な説明】
【技術分野】
【０００１】
本発明は、決済装置、決済方法及び決済プログラムに関する。
【背景技術】
【０００２】
近年、店舗やインターネット上での買い物の支払いを電子マネーで決済する技術が知られている。また、近年、各種の料金をまとめて支払う支払い方法が知られている。例えば、このような支払い方法では、利用者の携帯電話料金や購入した商品の代金をまとめて支払う。この支払い方法によれば、支払いに掛かる利用者の手間を減らすことができるとも考えられる。
【先行技術文献】
【特許文献】
【０００３】
【特許文献１】特開２００９−７５９８６号公報
【発明の概要】
【発明が解決しようとする課題】
【０００４】
しかしながら、上記の支払い方法では、利用者の利便性を向上させることができるとは限らない。具体的には、上記の支払い方法では、事業者によって定められた日に各種の料金の合計金額が請求される。また、上記の支払い方法では、携帯電話料金や音楽・動画といったデジタルコンテンツの代金など予め事業者で設定された対象の合計金額が請求される。このため、利用者は、利用者が支払いたい対象の料金を都合のよい時にまとめて支払うことができないので、利用者にとって不便な場合がある。このように、上記の従来技術では、利用者の利便性を向上させることができるとは限らない。
【０００５】
本願は、上記に鑑みてなされたものであって、利用者の利便性を向上させることができる決済装置、決済方法及び決済プログラムを提供することを目的とする。
【課題を解決するための手段】
【０００６】
本願に係る決済装置は、利用者によって選択された取引済で決済が行われていない複数の未払い取引の決済要求を一括して受け付ける受付部と、前記受付部によって受け付けられた決済要求に対応する取引を決済する決済部とを備えたことを特徴とする。
【発明の効果】
【０００７】
実施形態の一態様によれば、利用者の利便性を向上させることができるという効果を奏する。
【図面の簡単な説明】
【０００８】
【図１】図１は、実施形態に係る決済システムによる決済処理の一例を示す説明図である。
【図２】図２は、実施形態に係る端末装置の表示画面を示す図である。
【図３】図３は、実施形態に係る決済装置の構成例を示す図である。
【図４】図４は、実施形態に係る決済情報記憶部の一例を示す図である。
【図５】図５は、実施形態に係る口座情報記憶部の一例を示す図である。
【図６】図６は、実施形態に係る端末装置の構成例を示す図である。
【図７】図７は、実施形態に係る端末装置による支払い処理の一例を示す説明図である。
【図８】図８は、決済装置による受付処理手順を示すフローチャートである。
【図９】図９は、決済装置による決済処理手順を示すフローチャートである。
【図１０】図１０は、変形例に係る決済情報記憶部の一例を示す図である。
【図１１】図１１は、変形例に係る端末装置による入金処理の一例を示す説明図である。
【図１２】図１２は、決済装置の機能を実現するコンピュータの一例を示すハードウェア構成図である。
【発明を実施するための形態】
【０００９】
以下に、本願に係る決済装置、決済方法及び決済プログラムを実施するための形態（以下、「実施形態」と呼ぶ）について図面を参照しつつ詳細に説明する。なお、この実施形態により本願に係る決済装置、決済方法及び決済プログラムが限定されるものではない。また、以下の実施形態において同一の部位には同一の符号を付し、重複する説明は省略される。
【００１０】
〔１．決済処理〕
まず、図１を用いて、実施形態に係る決済処理の一例について説明する。図１は、実施形態に係る決済システムによる決済処理の一例を示す説明図である。図１の例では、決済装置１００によって未払いの取引（例えば、注文）の支払いを決済する決済処理が行われる例を示す。なお、図１に示すユーザＵ１１は、クレジットカードや銀行口座を有していないものとする。
【００１１】
サーバ装置１０は、ＥＣサイトのウェブページを提供するウェブサーバ等である。例えば、サーバ装置１０は、インターネットを介して商品を購入することができるショッピングサイトやオークションサイトのウェブページを提供する。
【００１２】
端末装置２０は、ユーザによって利用される情報処理装置である。端末装置２０は、ユーザの注文操作によってＥＣサイトで出品されている商品の取引を行う。また、端末装置２０は、ユーザがＥＣサイトで注文した商品の支払いを行う。例えば、端末装置２０は、予めインストールされた電子マネーで決済するアプリケーションである決済アプリによって注文の支払いを実行する。ここでは、電子マネーは、決済装置１００によって管理されるものとする。例えば、電子マネーは、決済装置１００によって管理される口座に予め入金されることで決済可能となるプリペイド型のものとする。
【００１３】
決済装置１００は、取引の決済を行うウェブサーバ等である。例えば、決済装置１００は、商品の代金が未払いの状態で注文が完了された後に、注文の決済を受け付ける。この点について図１を用いて詳細に説明する。
【００１４】
図１に示すように、端末装置２０を有するユーザＵ１１は、サーバ装置１０が提供するＥＣサイトに出店するＡ店のアクセサリを注文したものとする（ステップＳ１）。その後、端末装置２０は、アクセサリの注文の支払いの決済要求を決済装置１００に送信する（ステップＳ２）。ここで、決済要求には、例えば、商品の注文主や商品の支払額などといった決済に関する各種の決済情報が含まれる。具体的には、端末装置２０は、ユーザの起動操作によって決済アプリを起動する。そして、端末装置２０は、ユーザＵ１１の決済アプリにおける支払い操作によってアクセサリの代金の支払いを実行することで決済情報を含む決済要求を決済装置１００に送信する。これにより、決済装置１００は、アクセサリの注文の支払いの決済要求を受け付ける。
【００１５】
そして、決済装置１００は、決済要求に対応するアクセサリの注文の支払額が、注文の注文主であるユーザＵ１１によって予め入金される入金額の残高を超過するか否かを判定する（ステップＳ３）。例えば、決済装置１００は、受け付けられたアクセサリの注文の支払額が、ユーザＵ１１が有する電子マネーの口座の残高を超過するか否かを判定する。
【００１６】
ここで、決済装置１００は、アクセサリの注文の支払額がユーザＵ１１の口座の残高を超過すると判定したものとする。この場合、決済装置１００は、ユーザＵ１１のアクセサリの注文を未払い注文として登録する（ステップＳ４）。例えば、決済装置１００は、ユーザＵ１１のアクセサリの注文を、代金の決済が完了していない未払い注文の一覧である未払いリストへ登録する。
【００１７】
その後、決済装置１００は、未払い注文として登録された注文の決済要求を未払いの状態で受け付けた旨を通知する（ステップＳ５）。例えば、決済装置１００は、アクセサリの注文の決済要求を未払いの状態で受け付けた旨をサーバ装置１０に通知する。そして、サーバ装置１０は、決済装置１００からアクセサリの注文が未払いである旨を受け付けた場合に、未払い注文としてアクセサリの注文手続きを完了する（ステップＳ６）。その後、サーバ装置１０は、アクセサリの注文の決済要求を未払いの状態で受け付けた旨をＥＣサイトにアクセサリを出品する出品者に通知する。これにより、出品者は、アクセサリの取り置きを行う。
【００１８】
また、決済装置１００は、注文が未払い注文として登録された場合に、注文の決済要求を未払いの状態で受け付けた旨を、端末装置２０に通知する（ステップＳ７）。なお、決済装置１００は、ステップＳ５またはステップＳ７における通知のいずれか一方のみを通知してもよい。ここで、決済装置１００がステップＳ７における通知のみを通知する場合には、端末装置２０は、注文の決済要求を未払いの状態で受け付けた旨をサーバ装置１０に通知する。また、ステップＳ７における通知は、決済装置１００に限らずサーバ装置１０が端末装置２０に通知してもよい。
【００１９】
同様に、ユーザＵ１１は、Ｂ店のイヤホン、Ｃ店のスピーカおよびＤ店の携帯電話を注文したものとする。そして、決済装置１００は、Ｂ店のイヤホン、Ｃ店のスピーカおよびＤ店の携帯電話の注文を未払い注文一覧へ登録したものとする。
【００２０】
その後、端末装置２０は、ユーザＵ１１の決済アプリにおける入金操作によってユーザＵ１１の口座に電子マネーをチャージする（ステップＳ８）。例えば、端末装置２０は、電子マネーを取り扱う店舗に設置されたチャージ端末を介して電子マネーを口座にチャージする。これにより、決済装置１００は、ユーザＵ１１の口座への入金を受け付ける。例えば、決済装置１００は、ユーザごとに口座の残高が記憶された口座情報記憶部１２２のうち、ユーザＵ１１に対応する口座の残高に入金された入金額を加算する。
【００２１】
その後、端末装置２０は、ユーザＵ１１から決済を行う複数の未払い注文の選択を一括して受け付ける（ステップＳ９）。これにより、ユーザＵ１１は、決済を行いたい未払い注文だけを自由に選択することができる。具体的には、端末装置２０は、まず、ユーザＵ１１の未払い注文を一覧にして表示した選択画面を表示する。図２は、実施形態に係る端末装置の表示画面を示す図である。例えば、端末装置２０は、図２に示すように、各店舗における注文ごとに未払い注文が表示されたウェブページＷ１１を表示する。図２に示すように、ウェブページＷ１１には、各未払い注文にチェックボックスＣ１１〜Ｃ１４が設けられる。
【００２２】
そして、端末装置２０は、ウェブページＷ１１に表示された未払い注文のチェックボックスをタップするユーザＵ１１の選択操作によって決済を行う未払い注文の選択を受け付ける。ここで、端末装置２０は、チェックボックスＣ１３とチェックボックスＣ１４を選択する選択操作を受け付けたものとする。これにより、端末装置２０は、決済を行う未払い注文として、Ｃ店におけるスピーカの注文とＤ店における携帯電話の注文とを受け付けたものとする。
【００２３】
そして、端末装置２０は、ユーザＵ１１によって選択された未払い注文の支払いの決済要求を決済装置１００に送信する（ステップＳ１０）。ここでは、端末装置２０は、Ｃ店におけるスピーカの注文とＤ店における携帯電話の注文の決済要求を決済装置１００に送信する。これにより、決済装置１００は、利用者によって選択された注文済で決済が行われていない未払い注文の決済要求を受け付ける。例えば、決済装置１００は、未払い注文のうち利用者によって選択された複数の未払い注文の決済要求を受け付ける。
【００２４】
そして、決済装置１００は、受け付けられた決済要求に対応する注文を決済する。例えば、決済装置１００は、受け付けられた決済要求に対応する複数の注文を決済する。図１の例では、決済装置１００は、Ｃ店におけるスピーカの注文の支払額とＤ店における携帯電話の注文の支払額との合計額をユーザＵ１１の口座から引き落とす（ステップＳ１１）。
【００２５】
そして、決済装置１００は、ユーザＵ１１の口座から未払い注文の支払額が引き落とされた場合に、未払い注文の決済が完了した旨をサーバ装置１０に通知する（ステップＳ１２）。例えば、決済装置１００は、Ｃ店におけるスピーカの注文とＤ店における携帯電話の注文の決済が完了した旨をサーバ装置１０に通知する。
【００２６】
その後、サーバ装置１０は、Ｃ店におけるスピーカの注文の決済が完了した旨をＣ店に通知する。また、サーバ装置１０は、Ｄ店における携帯電話の注文の決済が完了した旨をＤ店に通知する。そして、Ｃ店は、ユーザＵ１１にスピーカを発送する（ステップＳ１３）。また、Ｄ店は、ユーザＵ１１に携帯電話を発送する。
【００２７】
このように、実施形態に係る決済装置１００は、利用者によって選択された取引済で決済が行われていない複数の未払い取引の決済要求を一括して受け付ける。また、決済装置１００は、受け付けられた決済要求に対応する取引を決済する。
【００２８】
これにより、決済装置１００は、利用者が希望する取引を決済することができるので、利用者の利便性を向上させることができる。例えば、決済装置１００は、複数の取引をまとめて決済することができるので、利用者の支払いにかかる手間を減らすことができる。また、決済装置１００は、異なる店舗における取引をまとめて決済することができるので、利用者の支払いにかかる手間を減らすことができる。
【００２９】
また、決済装置１００は、取引済で決済が行われていない複数の未払い取引の決済要求を一括して受け付けることができるので、利用者の利便性を向上させることができる。例えば、決済装置１００は、利用者が代金を未払いでも注文手続きを完了し、その後に未払い注文の決済を行うことができるので、注文を取り止める利用者を減らすことができる。
【００３０】
また、決済装置１００は、複数の未払い取引の決済要求を一括して受け付けることができるので、異なる店舗の複数の未払い取引の決済をまとめて行うことができる。例えば、決済装置１００は、異なるショッピングモールやマーケットプレイス等の売り場に出店する店舗での複数の未払い取引の決済をまとめて行うことができる。また、決済装置１００は、ショッピングモールなどを介さない店舗独自のＥＣサイトや実際に存在する実店舗などの未払い取引の決済もまとめて行うことができる。
【００３１】
また、決済装置１００は、利用者が支払いたい対象を選択して決済することができるので、利用者の利便性を向上させることができる。例えば、決済装置１００は、利用者が精査した上で取引した商品を決済することができるので、利用者にとって重要な商品を入手させることができる。また、決済装置１００は、利用者にとって急を要する商品を迅速に入手させることができる。
【００３２】
また、決済装置１００は、利用者が希望するタイミングで未払い取引の決済をすることができるので、利用者の利便性を向上させることができる。例えば、決済装置１００は、利用者の取引相手が実際に存在する実店舗である場合には、店舗が混雑しているときなどを回避して決済することができるので、利用者や店舗の店員にかかる負荷を軽減することができる。
【００３３】
また、決済装置１００は、取引の支払額と口座の残高との間の不足分を利用者が入金すれば決済することができるので、利用者が無駄に口座に入金することを回避することができる。例えば、決済装置１００は、利用者の口座に使用する予定のない電子マネーが残ることを回避することができる。
【００３４】
また、決済装置１００は、複数の取引をまとめて決済させることができるので、利用者が口座に入金するチャージ単価を高めることができる。例えば、決済装置１００は、チャージ単価を高めることによって電子マネーを取り扱うことで発生する手数料額を増やすことができるので、決済装置１００の管理者や運営者などの売上げを伸ばすことができる。
【００３５】
〔２．決済装置の構成〕
次に、図３を用いて、実施形態に係る決済装置１００の構成について説明する。図３は、実施形態に係る決済装置１００の構成例を示す図である。図３に示すように、決済装置１００は、通信部１１０と、記憶部１２０と、制御部１３０とを有する。なお、決済装置１００は、決済装置１００を利用する管理者等から各種操作を受け付ける入力部（例えば、キーボードやマウス等）や、各種情報を表示するための表示部（例えば、液晶ディスプレイ等）を有してもよい。
【００３６】
（通信部１１０について）
通信部１１０は、例えば、ＮＩＣ等によって実現される。かかる通信部１１０は、ネットワークと有線又は無線で接続され、ネットワークＮを介して、サーバ装置１０や端末装置２０との間で情報の送受信を行う。
【００３７】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１２０は、決済情報記憶部１２１と口座情報記憶部１２２とを有する。
【００３８】
（決済情報記憶部１２１について）
決済情報記憶部１２１は、取引の決済に関する決済情報を記憶する。具体的には、決済情報記憶部１２１は、サーバ装置１０や端末装置２０から送信された決済要求に含まれる決済情報を記憶する。ここで、図４に、実施形態に係る決済情報記憶部１２１の一例を示す。図４に示すように、決済情報記憶部１２１は、「決済ＩＤ」、「注文主」、「ユーザＩＤ」、「店舗名」、「商品名」、「支払額」、「支払有無」といった項目を有する。
【００３９】
「決済ＩＤ」は、決済情報を識別するための識別情報を示す。「注文主」は、注文を行った注文主であるユーザを示す。「ユーザＩＤ」は、注文主であるユーザを識別するための識別情報を示す。「店舗名」は、商品を注文した店舗の名称を示す。なお、「店舗名」には、各ＥＣサイトの名称が記憶されてもよい。「商品名」は、注文された商品の名称を示す。「支払額」は、注文された商品の代金を示す。なお、「支払額」には、商品を注文主へ発送するための送料などが含まれてもよい。「支払有無」は、注文の支払いが完了したか否かを示す。例えば、注文の支払額が支払われることで注文の決済が完了した場合には、「支払有無」に「１」が記憶される。一方、注文の支払額が決済されていない場合には、「支払有無」に「０」が記憶される。
【００４０】
すなわち、図４では、決済ＩＤ「Ｐ１１」の決済情報は、ユーザＩＤが「Ｕ１１」の注文主「ユーザＡ」によってされた注文の決済に関する情報である例を示している。また、決済ＩＤ「Ｐ１１」の決済情報に対応する注文は、店舗名「Ａ店」の店で商品名「アクセサリ」の商品が注文された例を示している。また、決済ＩＤ「Ｐ１１」の決済情報に対応する注文は、支払額が「２０００」円である例を示している。また、決済ＩＤ「Ｐ１１」の決済情報に対応する注文は、支払いがされていない例を示している。
【００４１】
（口座情報記憶部１２２について）
口座情報記憶部１２２は、ユーザが有する口座に関する情報を記憶する。具体的には、口座情報記憶部１２２は、ユーザごとに、口座の残高を記憶する。ここで、図５に、実施形態に係る口座情報記憶部１２２の一例を示す。図５に示すように、口座情報記憶部１２２は、「ユーザＩＤ」、「ユーザ名」、「残高」といった項目を有する。
【００４２】
「ユーザＩＤ」は、ユーザが有する口座を識別するための識別情報を示す。「ユーザ名」は、口座の持ち主であるユーザの氏名を示す。「残高」は、口座に入金されている電子マネーの総額を示す。
【００４３】
すなわち、図５では、ユーザＩＤ「Ｕ１１」のユーザＡの口座には、「１０００」円分の電子マネーが預金されている例を示している。
【００４４】
（制御部１３０について）
制御部１３０は、例えば、ＣＰＵ（Central  Processing  Unit）やＭＰＵ（Micro  Processing  Unit）等によって、決済装置１００内部の記憶装置に記憶されている各種プログラム（受付プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４５】
かかる制御部１３０は、図３に示すように、受付部１３１と、判定部１３２と、登録部１３３と、送信部１３４と、入金部１３５と、決済部１３６とを有し、以下に説明する情報処理の機能や作用を実現または実行する。なお、制御部１３０の内部構成は、図３に示した構成に限られず、後述する決済処理を行う構成であれば他の構成であってもよい。また、制御部１３０が有する各処理部の接続関係は、図３に示した接続関係に限られず、他の接続関係であってもよい。
【００４６】
（受付部１３１について）
受付部１３１は、取引の支払いの決済要求を受け付ける。具体的には、受付部１３１は、端末装置２０から決済に関する各種の決済情報が含まれる決済要求を受け付ける。例えば、受付部１３１は、端末装置２０の決済アプリを介して、「決済ＩＤ」、「注文主」、「ユーザＩＤ」、「支払額」、「支払有無」といった決済情報が含まれる決済要求を受け付ける。そして、受付部１３１は、決済要求に含まれる決済情報を決済情報記憶部１２１に格納する。なお、受付部１３１は、端末装置２０に限らず、サーバ装置１０から決済要求に含まれる各種の決済情報を受け付けてもよい。
【００４７】
また、受付部１３１は、未払い取引の決済要求を受け付ける。具体的には、受付部１３１は、利用者によって選択された取引済で決済が行われていない複数の未払い取引の決済要求を一括して受け付ける。例えば、受付部１３１は、端末装置２０の決済アプリを介して、未払い注文のうち利用者によって選択された複数の未払い注文の決済要求を受け付ける。なお、未払い注文の決済要求には、「ユーザＩＤ」などが含まれる。
【００４８】
また、受付部１３１は、取引主の未払い取引が並べられた未払い取引の一覧の取得要求を受け付ける。例えば、受付部１３１は、所定の優先順に並べた未払い注文一覧の取得要求を注文主の端末装置２０から受け付ける。
【００４９】
（判定部１３２について）
判定部１３２は、取引の支払いの決済の可否を判定する。具体的には、判定部１３２は、受付部１３１によって受け付けられた決済要求に対応する取引の支払額が、取引の取引主によって予め入金される入金額の残高を超過するか否かを判定する。より具体的には、判定部１３２は、決済要求に対応する注文の支払額を決済情報記憶部１２１から取得する。また、判定部１３２は、決済要求の送信元であるユーザの口座の残高を口座情報記憶部１２２から取得する。そして、判定部１３２は、取得した支払額が残高を超過するか否かを判定する。
【００５０】
この点について、図４および図５を用いて説明する。図４の例では、決済ＩＤ「Ｐ１１」の決済情報に対応するユーザＡの注文の支払額は、「２０００」円である。また、図５の例では、ユーザＡの口座の残高は、「１０００」円である。この場合、判定部１３２は、支払額として「２０００」円を決済情報記憶部１２１から取得する。また、判定部１３２は、残高として「１０００」円を口座情報記憶部１２２から取得する。そして、判定部１３２は、注文の支払額「２０００」円が口座の残高「１０００」円より大きいので、支払額が口座の残高を超過すると判定する。
【００５１】
また、判定部１３２は、受付部１３１によって受け付けられた決済要求に対応する取引が複数の未払い取引である場合には、複数の未払い取引の支払額の合計額が、未払い取引の取引主の残高を超過するか否かを判定する。
【００５２】
（登録部１３３について）
登録部１３３は、所定の取引を未払い取引として登録する。具体的には、登録部１３３は、判定部１３２によって取引の支払額が取引主の残高を超過すると判定された場合に、取引を未払い注文として登録する。例えば、登録部１３３は、注文の支払額が注文主の残高を超過すると判定された場合に、決済情報記憶部１２１の支払有無に「０」を格納することで注文を未払い注文として登録する。
【００５３】
この点について、図４および図５を用いて説明する。図４および図５の例では、上述したように、判定部１３２は、注文の支払額「２０００」円が口座の残高「１０００」円より大きいので、支払額が口座の残高を超過すると判定する。このため、登録部１３３は、決済ＩＤ「Ｐ１１」の決済情報に対応する注文を未払い注文として登録する。例えば、登録部１３３は、決済情報記憶部１２１に記憶された決済ＩＤ「Ｐ１１」の支払有無に「０」を格納することで注文を未払い注文として登録する。
【００５４】
一方、図４に示すように、決済ＩＤ「Ｐ２１」の決済情報に対応するユーザＢの注文の支払額は、「５０００」円である。また、図５に示すように、ユーザＢの口座の残高は、「６０００」円である。この場合、判定部１３２は、注文の支払額「５０００」円が口座の残高「６０００」円より大きいので、支払額が口座の残高を超過しないと判定する。このため、登録部１３３は、決済ＩＤ「Ｐ２１」の決済情報に対応する注文を未払い注文として登録しない。この場合、登録部１３３は、決済情報記憶部１２１の支払有無に「１」を格納する。
【００５５】
（送信部１３４について）
送信部１３４は、各種の情報を送信する。具体的には、送信部１３４は、決済要求に対応する取引に関する情報を送信する。一例としては、送信部１３４は、登録部１３３によって未払い取引として登録された取引の決済要求を未払いの状態で受け付けた旨を通知する。例えば、送信部１３４は、注文の決済要求を未払いの状態で受け付けた旨をサーバ装置１０にする。そして、サーバ装置１０は、注文の決済要求を未払いの状態で受け付けた旨を商品の出品者に通知する。これにより、出品者は、未払いの状態で受け付けた注文の商品を取り置くことができる。
【００５６】
また、送信部１３４は、取引の決済要求を未払いの状態で受け付けた旨を取引主の端末装置２０に通知する。これにより、取引主は、取引の支払いの決済が完了していないことを把握することができる。
【００５７】
また、送信部１３４は、決済が完了した旨を通知する。例えば、送信部１３４は、後述の決済部１３６によって注文主の残高から未払い注文の支払額が引き落とされた場合に、決済要求の決済が完了した旨をサーバ装置１０や端末装置２０に通知する。これにより、サーバ装置１０は、出品者に対して商品を注文主に発送する指示を出すことができる。また、注文主は、注文の決済が完了したことを把握することができる。
【００５８】
また、送信部１３４は、残高が不足している旨を通知する。例えば、送信部１３４は、判定部１３３によって未払い注文の支払額が残高を超過すると判定された場合に、残高が不足している旨を端末装置２０に通知する。これにより、注文主は、残高不足で注文の決済を完了することができない旨を把握することができる。
【００５９】
また、送信部１３４は、未払い取引の一覧を未払い取引の取引主の端末装置２０に送信する。具体的には、送信部１３４は、受付部１３１によって未払い取引の一覧の取得要求が受け付けられた場合に、所定の優先順に並べた取引主の未払い取引の一覧を取引主の端末装置２０に送信する。例えば、送信部１３４は、図２に示すようなウェブページＷ１１を端末装置２０に送信する。
【００６０】
（入金部１３５について）
入金部１３５は、残高への入金を受け付ける。具体的には、入金部１３５は、取引主の端末装置２０の決済アプリを介して、取引主によって指定された入金額を取引主の残高に加算することで入金する。より具体的には、入金部１３５は、口座情報記憶部１２２に記憶された「残高」に入金額を加算することで入金する。例えば、入金部１３５は、端末装置２０の決済アプリに表示された入金額を示すバーコードを用いて、電子マネーを取り扱う店舗に入金額がユーザによって支払われた場合に、残高への入金を受け付ける。
【００６１】
（決済部１３６について）
決済部１３６は、受付部１３１によって受け付けられた決済要求に対応する取引を決済する。具体的には、決済部１３６は、判定部１３２によって取引の支払額が残高を超過しないと判定された場合に、入金部１３５によって入金された取引主の残高から取引の支払額を引き落とす。例えば、決済部１３６は、口座情報記憶部１２２に記憶された残高から支払額を減算して更新することで注文の支払いを決済する。
【００６２】
また、決済部１３６は、判定部１３２によって未払い取引の支払額が残高を超過しないと判定された場合に、入金部１３５によって入金された取引主の残高から未払い取引の支払額を引き落とす。そして、決済部１３６は、決済情報記憶部１２１に記憶されている支払有無の「０」を「１」に更新する。
【００６３】
また、決済部１３６は、受付部１３１によって受け付けられた決済要求に対応する複数の取引を決済する。例えば、決済部１３６は、決済要求に対応する注文が複数の未払い注文である場合には、複数の未払い注文の支払い額の合計額を注文主の残高から引き落とす。
【００６４】
〔３．端末装置の構成〕
次に、図６を用いて、実施形態に係る端末装置２０の構成について説明する。図６は、実施形態に係る端末装置の構成例を示す図である。図６に示す端末装置２０は、商品の取引や口座への入金、決済を行うユーザなどによって利用される情報処理装置である。例えば、端末装置２０は、スマートフォンや、タブレット端末や、携帯電話機、ＰＣ（Personal  Computer）等である。図６に示すように、端末装置２０は、表示部２１０と、入力部２２０と、通信部２３０と、制御部２５０とを有する。
【００６５】
（表示部２１０、入力部２２０について）
表示部２１０は、各種情報を表示するための表示デバイスである。例えば、表示部２１０は、液晶ディスプレイ等によって実現される。入力部２２０は、ユーザから各種操作を受け付ける入力デバイスである。なお、端末装置２０がスマートフォンである場合にはタッチパネルが採用されているので、表示部２１０と入力部２２０とは一体化される。
【００６６】
（通信部２３０について）
通信部２３０は、ネットワークに接続され、ネットワークを介して、サーバ装置１０や決済装置１００などとの間で情報の送受信を行う。かかる通信部２３０は、ネットワークとの接続を有線又は無線で行う。
【００６７】
（制御部２５０について）
制御部２５０は、例えば、ＣＰＵやＭＰＵ等によって、端末装置２０内部の記憶装置に記憶されている各種プログラムがＲＡＭを作業領域として実行されることにより実現される。また、制御部２５０は、例えば、ＡＳＩＣやＦＰＧＡ等の集積回路により実現される。
【００６８】
かかる制御部２５０は、図６に示すように、各種アプリ制御部２６０と、決済アプリ制御部２７０とを有する。
【００６９】
（各種アプリ制御部２６０について）
各種アプリ制御部２６０は、例えば、検索アプリ制御部２６２と、ブラウザ制御部２６３とを有する。検索アプリ制御部２６２は、端末装置２０内の各種情報を検索する検索アプリケーションを実行制御する。ブラウザ制御部２６３は、ウェブブラウザと呼ばれるアプリケーションを実行制御する。
【００７０】
なお、制御部２５０は、図６に示した検索アプリ制御部２６２及びブラウザ制御部２６３のアプリ制御部に限られず、端末装置２０にインストールされているアプリケーション毎に、かかるアプリケーションを実行制御するアプリ制御部を有する。例えば、制御部２５０は、天気予報サイトにアクセスするアプリケーションを実行制御するアプリ制御部や、オークションサイトにアクセスするアプリケーションを実行制御するアプリ制御部などを有してもよい。
【００７１】
（決済アプリ制御部２７０について）
決済アプリ制御部２７０は、取引した商品の代金を決済する決済アプリケーションを実行制御する。このような決済アプリケーションは、予め端末装置２０にインストールされていてもよいし、ユーザ操作に従ってサーバ装置（例えば、各種アプリケーションを提供するサーバ装置）からダウンロードされることで端末装置２０にインストールされてもよい。かかる決済アプリ制御部２７０は、図６に示すように、受付部２７１と、表示制御部２７２と、送信部２７３とを有し、以下に説明する情報処理の機能や作用を実現または実行する。なお、決済アプリ制御部２７０の内部構成は、図６に示した構成に限られず、後述する情報処理を行う構成であれば他の構成であってもよい。また、制御部２５０及び決済アプリ制御部２７０が有する各処理部の接続関係は、図６に示した接続関係に限られず、他の接続関係であってもよい。
【００７２】
（受付部２７１について）
受付部２７１は、各種の操作を受け付ける。具体的には、受付部２７１は、端末装置２０を有するユーザから取引の決済を行う支払い操作や口座に入金する入金操作、口座の残高を照会する照会操作などを受け付ける。
【００７３】
また、受付部２７１は、各種の情報を受け付ける。具体的には、受付部２７１は、取引を未払い取引として受け付けた旨や決済が完了した旨、残高が不足している旨、未払い取引一覧、取引の支払額を示すバーコードに関する情報（例えば、バーコードを生成するためのコード）などを決済装置１００から受け付ける。そして、受付部２７１によって受け付けられた各種の情報は、後述の表示制御部２７２による制御によって表示部２１０に表示される。
【００７４】
（表示制御部２７２について）
表示制御部２７２は、表示部２１０の表示を制御する。具体的には、表示制御部２７２は、代金を未払いの状態で商品を注文する未払い注文処理や注文の支払いを行う支払い処理、口座へ入金する入金処理、代金を決済した上で注文する注文処理などにおける画面遷移を制御する。
【００７５】
（送信部２７３について）
送信部２７３は、各種の情報を送信する。具体的には、送信部２７３は、取引主や支払額などといった決済に関する各種の決済情報を含む決済要求を決済装置１００に送信する。例えば、送信部２７３は、受付部２７１によって支払い操作が受け付けられた場合に、決済情報を決済装置１００に送信する。
【００７６】
また、送信部２７３は、未払い注文一覧の取得要求を決済装置１００に送信する。また、送信部２７３は、未払い注文のうち利用者によって選択された未払い注文に関する情報を決済装置１００に送信する。
【００７７】
また、送信部２７３は、入金に関する入金情報を送信する。具体的には、送信部２７３は、入金主や入金額などといった入金に関する各種の入金情報を決済装置１００に送信する。例えば、送信部２７３は、受付部２７１によって入金操作が受け付けられた場合に、入金情報を決済装置１００に送信する。
【００７８】
ここで、図７を用いて端末装置２０における支払い処理の一例を説明する。図７は、実施形態に係る端末装置による支払い処理の一例を示す説明図である。受付部２７１は、決済アプリにおける未払い注文の支払い処理を実行する操作を受け付けたものとする。この場合、送信部２７３は、未払い注文一覧の取得要求を決済装置１００に送信する。そして、決済装置１００は、未払い注文一覧を端末装置２０に送信する。これにより、受付部２７１は、未払い注文一覧を決済装置１００から受け付ける。
【００７９】
そして、表示制御部２７２は、受付部２７１によって受け付けられた未払い注文一覧を表示部２１０に表示する。例えば、表示制御部２７２は、図７に示すように、未払い注文ごとに支払額とチェックボックスなどが表示された支払い対象選択画面であるウェブページＷ１１を表示部２１０に表示する。
【００８０】
そして、受付部２７１は、ウェブページＷ１１に表示された未払い注文のチェックボックスをタップする利用者の選択操作によって決済を行う未払い注文の選択を受け付ける。図７の例では、受付部２７１は、チェックボックスＣ１３とチェックボックスＣ１４を選択する選択操作を受け付けた例である。
【００８１】
そして、表示制御部２７２は、ウェブページＷ１１に表示された「まとめ払い」をタップする操作が受付部２７１によって受け付けられた場合に、決済を行う未払い注文の支払額の合計額を確認する確認画面を表示する。例えば、表示制御部２７２は、Ｃ店におけるスピーカの注文の支払額「￥５０００」とＤ店における携帯電話の注文の支払額「￥９０００」との合計額「￥１４０００」が表示されたウェブページＷ１２を表示部２１０に表示する。
【００８２】
ここで、未払い注文の注文主の口座には、「￥１５０００」入金されているものとする。そして、受付部２７１は、利用者からウェブページＷ１２を上方向にスワイプすることで注文の支払いを行う支払い操作を受け付けたものとする。これにより、受付部２７１は、決済する未払い注文として、Ｃ店におけるスピーカの注文とＤ店における携帯電話の注文とを受け付ける。そして、送信部２７３は、決済する未払い注文に関する情報を決済装置１００に送信する。これにより、決済装置１００は、利用者によって選択された未払い注文の支払額の合計額を注文主の口座の残高から引き落とす。その後、決済装置１００は、決済が完了した旨の通知を端末装置２０に送信する。
【００８３】
そして、表示制御部２７２は、決済装置１００から送信された決済が完了したことを示す完了画面であるウェブページＷ１３を表示部２１０に表示する。なお、ウェブページＷ１３には、決済前の残高「￥１５０００」から支払額の合計額「￥１４０００」が差し引かれた決済後の注文主の残高「￥１０００」が表示される。
【００８４】
〔４．受付処理手順〕
次に、図８を用いて、実施形態に係る決済装置１００による受付処理の手順について説明する。図８は、実施形態に係る決済装置１００による受付処理手順を示すフローチャートである。
【００８５】
図８に示すように、決済装置１００は、端末装置２０から決済要求を受け付けたか否かを判定する（ステップＳ１０１）。そして、決済装置１００は、決済要求を受け付けていない場合には（ステップＳ１０１；Ｎｏ）、決済要求を受け付けるまで待機する。
【００８６】
一方、決済装置１００は、決済要求を受け付けた場合（ステップＳ１０１；Ｙｅｓ）、受け付けた決済要求に対応する支払額が口座の残高を超過するか否かを判定する（ステップＳ１０２）。そして、決済装置１００は、支払額が口座の残高を超過していない場合には（ステップＳ１０２；Ｎｏ）、残高から支払額を引き落とすことで決済する（ステップＳ１０３）。そして、決済装置１００は、注文の支払いの決済を完了した旨をサーバ装置１０や端末装置２０に通知する（ステップＳ１０４）。
【００８７】
一方、決済装置１００は、支払額が口座の残高を超過する場合（ステップＳ１０２；Ｙｅｓ）、決済要求に対応する注文を未払い注文として登録する（ステップＳ１０５）。そして、決済装置１００は、未払い注文を受け付けた旨をサーバ装置１０や端末装置２０に通知する（ステップＳ１０６）。
【００８８】
〔５．決済処理手順〕
次に、図９を用いて、実施形態に係る決済装置１００による決済処理の手順について説明する。図９は、実施形態に係る決済装置１００による決済処理手順を示すフローチャートである。
【００８９】
図９に示すように、決済装置１００は、利用者によって選択された未払い注文の決済要求を端末装置２０から受け付けたか否かを判定する（ステップＳ２０１）。そして、決済装置１００は、利用者によって選択された未払い注文の決済要求を受け付けていない場合には（ステップＳ２０１；Ｎｏ）、決済要求を受け付けるまで待機する。
【００９０】
一方、決済装置１００は、利用者によって選択された未払い注文の決済要求を受け付けた場合（ステップＳ２０１；Ｙｅｓ）、受け付けた未払い注文の決済要求に対応する支払額が残高を超過するか否かを判定する（ステップＳ２０２）。そして、決済装置１００は、未払い注文の支払額が残高を超過している場合には（ステップＳ２０２；Ｙｅｓ）、残高不足である旨を端末装置２０に通知する（ステップＳ２０３）。
【００９１】
一方、決済装置１００は、未払い注文の支払額が残高を超過していない場合には（ステップＳ２０２；Ｎｏ）、残高から利用者によって選択された未払い注文の支払い額の合計額を引き落とすことで決済する（ステップＳ２０４）。そして、決済装置１００は、未払い注文の決済を完了した旨をサーバ装置１０や端末装置２０に通知する（ステップＳ２０５）。
【００９２】
〔６．変形例〕
上述した実施形態に係る決済装置１００は、上記実施形態以外にも種々の異なる形態にて実施されてよい。そこで、以下では、上記の決済装置１００の他の実施形態について説明する。
【００９３】
〔６−１．未払い注文一覧〕
上記実施形態では、決済装置１００は、未払い注文の一覧を未払い注文の注文主の端末装置２０に送信する例を示した。ここで、決済装置１００は、未払い注文に関する各種の情報に基づいて並べた未払い注文の一覧を端末装置２０に送信してもよい。具体的には、決済装置１００は、所定の優先順に並べた未払い取引の一覧を端末装置２０に送信する。
【００９４】
一例としては、決済装置１００の送信部１３４は、未払い注文の支払期限に基づいて並べた未払い注文一覧を端末装置２０に送信する。ここで、未払い注文の支払期限は、例えば、注文の商品を出品する店舗によって設定される。これにより、決済装置１００は、店舗から支払期限を受け付ける。
【００９５】
そして、決済装置１００は、店舗から受け付けた支払期限を決済情報記憶部１２１に記憶する。図１０は、変形例に係る決済情報記憶部の一例を示す図である。図１０に示すように、決済情報記憶部１２１は、「支払期限」といった項目をさらに有する。「支払期限」は、未払い注文の支払いを許容する期限日を示す。すなわち、図１０では、決済ＩＤ「Ｐ１１」の注文の支払期限は、「2014/3/10」である例を示している。このように、決済装置１００は、未払い注文の支払期限を保持しているものとする。
【００９６】
そして、送信部１３４は、決済情報記憶部１２１に記憶されている「支払期限」を用いて、未払い注文の支払期限に基づいて並べた未払い注文一覧を生成する。例えば、送信部１３４は、支払期限に基づいて並べた未払い注文一覧の取得要求を受け付けた場合に、支払期限に基づいて並べられた未払い注文一覧を生成する。一例としては、まず、受付部１３１は、支払期限の近い順に並べた未払い注文一覧の取得要求を端末装置２０から受け付ける。続いて、送信部１３４は、支払期限の近い順に並べた未払い注文一覧を生成する。図１０の例では、送信部１３４は、ユーザＡの未払い注文一覧として、決済ＩＤ「Ｐ１１」、「Ｐ１２」、「Ｐ１３」、「Ｐ１４」の順に未払い注文が並べられた未払い注文一覧を生成する。そして、送信部１３４は、生成した未払い注文一覧を送信する。
【００９７】
他の一例としては、送信部１３４は、未払い注文が受け付けられた受付日に基づいて並べた未払い注文一覧を端末装置２０に送信してもよい。この場合、決済情報記憶部１２１は、図１０に示すように、「受付日」といった項目をさらに有する。「受付日」は、未払い注文を受け付けた受付日を示す。すなわち、図１０では、決済ＩＤ「Ｐ１１」の注文の受付日は、「2014/3/1」である例を示している。このように、決済装置１００は、未払い注文の受付日を保持しているものとする。
【００９８】
そして、送信部１３４は、決済情報記憶部１２１に記憶されている「受付日」を用いて、未払い注文の受付日に基づいて並べた未払い注文一覧を生成する。例えば、送信部１３４は、受付日が古い順や新しい順に未払い注文を並べた未払い注文一覧を生成する。
【００９９】
また、他の一例としては、送信部１３４は、未払い注文の支払額に基づいて並べた未払い注文一覧を端末装置２０に送信してもよい。この場合、送信部１３４は、決済情報記憶部１２１に記憶されている「支払額」を用いて、未払い注文の支払額に基づいて並べた未払い注文一覧を生成する。例えば、送信部１３４は、支払額が安い順や高い順に並べた未払い注文一覧を生成する。
【０１００】
また、送信部１３４は、各種の情報に基づいて並べ替え可能な未払い注文一覧を送信してもよい。一例としては、送信部１３４は、利用者の操作によって支払期限が近い順や遠い順に未払い注文を並べ替え可能な未払い注文一覧を生成する。そして、送信部１３４は、生成した未払い注文一覧を端末装置２０に送信する。
【０１０１】
なお、送信部１３４は、各種の情報に応じて未払い注文が強調される未払い注文一覧を生成してもよい。一例としては、送信部１３４は、支払期限に応じて未払い注文が強調される未払い注文一覧を生成する。例えば、送信部１３４は、支払期限が近い未払い注文ほど赤色などの目立つ色で強調された文字で記載された未払い注文一覧を生成する。
【０１０２】
このように、決済装置１００は、所定の優先順に並べた未払い取引の一覧を端末装置２０に送信する。
【０１０３】
また、決済装置１００は、未払い取引を未払い取引の支払期限、未払い取引が受け付けられた受付日または未払い取引の支払額に基づいて並べた未払い取引の一覧を端末装置２０に送信する。
【０１０４】
これにより、決済装置１００は、未払い取引の把握を容易にすることができるので、利用者の利便性を向上させることができる。例えば、決済装置１００は、支払期限が迫っている未払い取引を利用者に把握させることができるので、期限超過による取引の取り消しを減らすことができる。
【０１０５】
〔６−２．バーコードを送信〕
上記実施形態では、決済装置１００は、受付部１３１によって受け付けられた未払い取引の支払額の合計額を示す識別子であって利用者が合計額を入金する際に用いる入金用の識別子に関する情報を利用者の端末装置２０に送信してもよい。
【０１０６】
具体的には、受付部１３１は、利用者によって選択された未払い注文を受け付ける。そして、端末装置２０は、利用者の未払い注文を一覧にした選択画面を表示する。図１１は、変形例に係る端末装置による入金処理の一例を示す説明図である。例えば、端末装置２０は、図１１に示すように、利用者の未払い注文を一覧にした選択画面としてウェブページＷ２１を表示する。そして、端末装置２０は、ウェブページＷ２１に表示された未払い注文のチェックボックスをタップする利用者の選択操作によって未払い注文の選択を受け付ける。
【０１０７】
その後、端末装置２０は、選択操作によって選択された未払い注文の支払額の合計額を算出する。図１１の例では、端末装置２０は、チェックボックスＣ１３とチェックボックスＣ１４が選択されているので、Ｃ店におけるスピーカの注文の支払額「￥５０００」とＤ店における携帯電話の注文の支払額「￥９０００」との合計額「￥１４０００」を算出する。そして、端末装置２０は、算出した合計額「￥１４０００」を示すバーコードを生成する。これにより、端末装置２０は、利用者に選択された未払い注文の支払額の合計額を示す識別子であって利用者が合計額を入金する際に用いる入金用のバーコードを生成する。そして、端末装置２０は、生成したバーコードを表示部２１０に表示する。例えば、端末装置２０は、図１１に示すように、バーコードが表示されたウェブページＷ２２を表示する。
【０１０８】
そして、端末装置２０の利用者は、表示されたバーコードを用いて入金を行う。例えば、利用者は、電子マネーを取り扱う店舗の店員にバーコードを提示する。そして、店舗の店員は、店舗に設置された店舗端末でバーコードを読み取る。続いて、利用者は、店舗端末に表示された支払額を支払う。これにより、利用者によって選択された未払い注文の支払額の合計額と同じ額の入金額が利用者の口座に加算される。そして、端末装置２０は、入金が完了したことを示す完了画面であるウェブページＷ２３を表示する。これにより、利用者は、選択された未払い注文の支払額の合計額以上の入金額が口座に入金されているので、選択された未払い注文をまとめて決済することが可能となる。
【０１０９】
なお、端末装置２０は、決済装置１００によって生成された未払い注文の支払額の合計額を示すバーコードを生成するためのコードを用いて入金用のバーコードを生成してもよい。この場合、端末装置２０は、利用者によって選択された未払い注文に関する情報を決済装置１００に送信する。例えば、端末装置２０は、未払い注文に関する情報として、未払い注文の決済ＩＤなどを決済装置１００に送信する。図１１の例では、端末装置２０は、チェックボックスＣ１３とチェックボックスＣ１４が選択されているので、Ｃ店におけるスピーカの注文とＤ店における携帯電話に関する情報を決済装置１００に送信する。これにより、決済装置１００の受付部１３１は、利用者によって選択された未払い注文に関する情報を受け付ける。
【０１１０】
続いて、決済装置１００の送信部１３４は、受付部１３１によって受け付けられた未払い注文の支払額の合計額を算出する。そして、送信部１３４は、算出した合計額を示すバーコードを生成するためのコードを生成する。これにより、送信部１３４は、受付部１３１によって受け付けられた未払い注文の支払額の合計額を示す識別子であって利用者が合計額を入金する際に用いる入金用のバーコードに関する情報を生成する。その後、送信部１３４は、生成したコードを端末装置２０に送信する。続いて、端末装置２０は、決済装置１００から送信されたコードを用いて、未払い注文の支払額の合計額を示す入金用のバーコードを生成する。
【０１１１】
このように、決済装置１００は、受付部１３１によって受け付けられた未払い取引の支払額の合計額を示す識別子であって利用者が合計額を入金する際に用いる入金用の識別子に関する情報を利用者の端末装置２０に送信する。
【０１１２】
これにより、決済装置１００は、利用者が支払いたい未払い取引のみを決済することができるので、利用者の利便性を向上させることができる。例えば、決済装置１００は、利用者が精査した上で取引した商品を決済することができるので、利用者にとって重要な商品を入手させることができる。また、決済装置１００は、利用者にとって急を要する商品を迅速に入手させることができる。
【０１１３】
〔６−３．自動キャンセル〕
上記実施形態では、決済装置１００は、未払い取引が受け付けられたときから所定の期間が経過した場合に、取引を自動的にキャンセルしてもよい。具体的には、登録部１３３は、未払い取引が受け付けられたときから所定の期間が経過した場合に、未払い取引を取消し取引として登録する。
【０１１４】
まず、商品の出品者は、注文を未払い注文として登録してからキャンセルするまでの所定の期間として有効期間を設定する。そして、決済装置１００は、設定された有効期間に基づいて支払期限を記憶する。例えば、決済装置１００は、図１０に示すように、設定された有効期間を「受付日」に加えた「支払期限」を「決済ＩＤ」と対応付けて決済情報記憶部１２１に記憶する。
【０１１５】
そして、登録部１３３は、決済情報記憶部１２１に記憶された「支払期限」を用いて、所定の期間が経過したか否かを判定する。図１０の決済ＩＤ「Ｐ１１」の例では、登録部１３３は、支払期限「2014/3/10」を経過したか否かを判定する。ここで、登録部１３３は、所定の期間が経過したと判定した場合に、未払い注文をキャンセルされた注文であることを示す取消し注文として登録する。
【０１１６】
この場合、決済情報記憶部１２１は、「取消有無」といったデータ項目をさらに有する。「取消有無」は、未払い注文が取り消されたことを示す。「取消有無」には、例えば、未払い注文が取り消された場合には「１」が記憶される。一方、「取消有無」には、未払い注文が取り消されていない場合には「０」が記憶される。すなわち、決済ＩＤ「Ｐ３１」の未払い注文は、既に取り消されていることを示す。
【０１１７】
そして、登録部１３３は、決済情報記憶部１２１に記憶された取消有無に「１」を格納することで未払い注文を取消し注文として登録する。例えば、登録部１３３は、決済ＩＤ「Ｐ１１」の未払い注文の支払期限「2014/3/10」を経過したと判定した場合に、「取消有無」を「０」から「１」に更新する。これにより、未払い注文は、キャンセルされたものとみなされる。
【０１１８】
そして、送信部１３４は、登録部１３３によって取消し注文として登録された注文が取り消された旨を通知する。例えば、送信部１３４は、注文が取り消された旨を注文主やサーバ装置１０の管理者、商品の出品者に通知する。なお、送信部１３４は、注文が取り消された旨を通知するとともに、取り消された注文の商品に関する情報（例えば、商品を出品するＥＣサイトの販売ページのＵＲＬ）を注文主の端末装置２０に送信してもよい。
【０１１９】
また、送信部１３４は、取消し注文として登録された未払い注文を一覧にした取消し注文一覧を注文主の端末装置２０に送信してもよい。例えば、送信部１３４は、取消し注文として、決済情報記憶部１２１に記憶された「取消有無」が「１」の未払い注文を抽出する。続いて、送信部１３４は、抽出された取消し注文の商品を出品するＥＣサイトの販売ページのＵＲＬなどが含まれる取消し注文一覧を生成する。そして、送信部１３４は、生成された取消し注文一覧を端末装置２０に送信する。これにより、利用者は、注文を取り消された商品を容易に再注文することができる。また、出品者は、注文を取り消された商品の再注文が増えるので、売上を向上させることができる。
【０１２０】
また、注文を未払い注文として登録してからキャンセルするまでの所定の期間は、商品の出品者に限らず、例えば、決済装置１００の管理者やサーバ装置１０の管理者によって設定されてもよい。また、登録部１３３は、未払い注文に対応する決済情報を決済情報記憶部１２１から削除することで未払い注文を取消し注文として登録してもよい。
【０１２１】
このように、決済装置１００は、未払い取引が受け付けられたときから所定の期間が経過した場合に、未払い取引を取消し取引として登録する。
【０１２２】
これにより、決済装置１００は、所定の期間が経過した取引を自動でキャンセルすることができるので、出品者の利便性を向上させることができる。例えば、決済装置１００は、取引主が支払いを忘れていても自動で取引をキャンセルするので、出品者が在庫を取り置くことで発生する損失を抑えることができる。
【０１２３】
〔６−４．自動決済〕
上記実施形態では、決済部１３６は、受付部１３１によって決済要求が受け付けられた場合に、入金部１３５によって入金された残高から未払い取引の支払額を引き落とす例を示した。ここで、決済部１３６は、入金部１３５によって未払い取引の支払額以上の金額が入金された場合に、取引主が入金した入金額から支払額を引き落としてもよい。
【０１２４】
例えば、まず、入金部１３５は、未払い注文の支払額以上の入金を注文主から受け付ける。続いて、判定部１３２は、未払い注文の支払額が残高を超過するか否かを判定する。そして、決済部１３６は、判定部１３２によって未払い注文の支払額が残高を超過しないと判定された場合に、残高から未払い注文の支払額を引き落とす。
【０１２５】
そして、登録部１３３は、決済部１３６によって決済された未払い注文に対応する「決済ＩＤ」の「支払有無」を「０」から「１」に更新する。これにより、決済装置１００は、未払い注文の支払額以上が入金された場合には、未払い注文の支払いの決済を自動で完了する。
【０１２６】
このように、決済装置１００は、未払い取引の取引主の入金を受け付ける。また、決済装置１００は、入金部１３５によって未払い取引の支払額以上の金額が入金された場合に、取引主が入金した入金額から支払額を引き落とす。
【０１２７】
これにより、決済装置１００は、未払い取引の支払額以上が入金されると自動で決済を完了することができるので、ユーザの手間を軽減することができる。例えば、決済装置１００は、ユーザが未払い取引の決済を行う手間を削減することができる。
【０１２８】
また、決済装置１００は、未払い取引の支払額以上が入金されると自動で決済を完了することができるので、取引を取り止める利用者を減らすことができる。例えば、決済装置１００は、未払い取引をしたものの決済を行わずに取引をキャンセルする利用者を減らすことができる。
【０１２９】
〔６−５．可能な範囲で自動決済〕
上記変形例では、決済部１３６は、入金部１３５によって未払い取引の支払額以上の金額が入金された場合に、取引主が入金した入金額から支払額を引き落とす例を示した。ここで、決済部１３６は、入金部１３５によって複数の未払い取引の支払額の合計額未満の金額が入金された場合に、複数の未払い取引のうち入金額未満の支払額の未払い取引を決済してもよい。
【０１３０】
例えば、まず、入金部１３５は、複数の未払い注文の支払額の合計額未満の入金を注文主から受け付ける。続いて、判定部１３２は、複数の未払い注文の支払額が残高を超過するか否かを判定する。そして、決済部１３６は、判定部１３２によって複数の未払い注文の支払額が残高を超過すると判定された場合に、複数の未払い注文のうち入金額未満の支払額の未払い注文を決済する。例えば、決済部１３６は、複数の未払い注文のうち入金額未満の支払額の未払い注文の支払額を残高から引き落とす。
【０１３１】
そして、登録部１３３は、決済部１３６によって決済された未払い注文に対応する「決済ＩＤ」の「支払有無」を「０」から「１」に更新する。これにより、決済装置１００は、決済可能な未払い注文の決済を自動で完了する。
【０１３２】
このように、決済装置１００は、入金部１３５によって複数の未払い取引の支払額の合計額未満の金額が入金された場合に、複数の未払い取引のうち入金額未満の支払額の未払い取引を決済する。
【０１３３】
これにより、決済装置１００は、決済可能な未払い取引の決済を自動で完了することができるので、ユーザの手間を軽減することができるとともに、取引を取り止める利用者を減らすことができる。
【０１３４】
また、決済装置１００は、決済可能な未払い取引の決済を自動で決済することができるので、出品者の利益を向上させることができる。例えば、決済装置１００は、決済可能な未払い取引がある場合には自動で決済するので、キャンセルされる未払い取引を減らすことができる。
【０１３５】
〔６−６．優先順位順に自動決済〕
上記変形例では、決済部１３６は、入金部１３５によって複数の未払い取引の支払額の合計額未満の金額が入金された場合に、複数の未払い取引のうち入金額未満の支払額の未払い取引を決済する例を示した。ここで、決済部１３６は、各種の優先順位の順に未払い取引を決済してもよい。具体的には、入金部１３５によって未払い取引の支払額の合計額未満の金額が入金された場合に、複数の未払い取引のうち入金額未満の支払額の未払い取引を、所定の優先順位の順に決済する。
【０１３６】
例えば、まず、入金部１３５は、複数の未払い注文の支払額の合計額未満の入金を注文主から受け付ける。続いて、判定部１３２は、複数の未払い注文の支払額が残高を超過するか否かを判定する。そして、判定部１３２は、複数の未払い注文の支払額が残高を超過すると判定したものとする。この場合、決済部１３６は、各種の優先順位の順に未払い注文を決済する。
【０１３７】
一例としては、決済部１３６は、複数の未払い取引のうち入金額未満の支払額の未払い取引を、未払い取引の支払期限に応じた優先順位の順に決済する。例えば、決済部１３６は、支払期限が近い未払い注文を優先して決済する。図１０の例では、決済部１３６は、支払期限が最も近い未払い注文である決済ＩＤ「Ｐ１１」の未払い注文の支払額「２０００」を優先して残高から引き落とす。
【０１３８】
そして、登録部１３３は、決済部１３６によって決済された未払い注文に対応する「決済ＩＤ」の「支払有無」を「０」から「１」に更新する。これにより、決済装置１００は、決済可能な未払い注文を優先順位の順に自動で決済を完了する。
【０１３９】
なお、決済部１３６は、未払い取引の支払期限に限らず、未払い取引が受け付けられた受付日に応じた優先順位の順に決済してもよい。また、決済部１３６は、未払い取引の支払額に応じた優先順位の順に決済してもよい。
【０１４０】
このように、決済装置１００は、入金部１３５によって未払い取引の支払額の合計額未満の金額が入金された場合に、複数の未払い取引のうち入金額未満の支払額の未払い取引を、所定の優先順位の順に決済する。
【０１４１】
また、決済装置１００は、入金部１３５によって未払い取引の支払額の合計額未満の金額が入金された場合に、複数の未払い取引のうち入金額未満の支払額の未払い取引を、未払い取引の支払期限、未払い取引が受け付けられた受付日または未払い取引の支払額に応じた優先順位の順に決済する。
【０１４２】
これにより、決済装置１００は、決済可能な未払い取引を優先順位の順に自動で決済を完了することができるので、出品者の利益を向上させることができる。例えば、決済装置１００は、支払期限の近い未払い取引を優先して決済するので、キャンセルされる未払い取引を減らすことができる。また、決済装置１００は、支払額の高い未払い取引を優先して決済するので、出品者の利益を向上させることができる。
【０１４３】
〔６−７．未払い注文一覧〕
上記実施形態では、決済装置１００は、注文の支払額が注文主の残高を超過すると判定された場合に、決済情報記憶部１２１の支払有無に「０」を格納することで注文を未払い注文として登録する例を示した。ここで、決済装置１００は、未払い取引について記憶する記憶部を独立して有してもよい。例えば、決済装置１００は、支払いが行われていない注文の決済情報を記憶した未払い注文記憶部をさらに有する。
【０１４４】
これにより、決済装置１００は、未払い取引を独立して管理することができるので、未払い取引の管理を容易にすることができる。
【０１４５】
また、決済装置１００は、未払い注文ごとに、商品の個数が含まれる未払い注文一覧を端末装置２０に送信してもよい。この場合、決済情報記憶部１２１は、図１０に示すように、「個数」といった項目をさらに有する。「個数」には、注文された商品の個数を示す。すなわち、図１０の例では、決済ＩＤ「Ｐ１１」の注文は、商品名「アクセサリ」の商品が「１」個注文された例である。そして、決済装置１００は、決済情報記憶部１２１に記憶された「個数」を用いて、商品の個数が含まれる未払い注文一覧を端末装置２０に送信する。これにより、端末装置２０は、商品の個数が表示された未払い注文一覧を表示する。そして、端末装置２０は、利用者が決済を行いたい未払い注文の商品の個数の選択を利用者の選択操作によって受け付けてもよい。これにより、決済装置１００は、利用者によって選択された個数分の商品の支払額を決済する。
【０１４６】
〔６−８．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した受付部１３１および入金部１３５は統合されてもよい。
【０１４８】
また、上記実施形態において説明した商品は、有体物である商品に限らず、無体物である商品やサービスであってもよい。例えば、商品は、ダウンロードすることで取得する音楽ファイルや動画コンテンツ、証券取引や保険などの金融サービスなどであってもよい。
【０１４９】
〔６−９．ハードウェア構成〕
また、上述してきた実施形態に係る決済装置１００は、例えば図１２に示すような構成のコンピュータ１０００によって実現される。以下、決済装置１００を例に挙げて説明する。図１２は、決済装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１５０】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５１】
ＨＤＤ１４００は、ＣＰＵ１１００によって実行されるプログラム、および、かかるプログラムによって使用されるデータ等を格納する。通信インターフェイス１５００は、通信網５０を介して他の機器からデータを受信してＣＰＵ１１００へ送り、ＣＰＵ１１００が生成したデータを通信網５０を介して他の機器へ送信する。
【０１５２】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５３】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto  Optical  disk）等の光磁気記録媒体、テープ媒体、磁気記録媒体、または半導体メモリ等である。
【０１５４】
例えば、コンピュータ１０００が実施形態に係る決済装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置から通信網５０を介してこれらのプログラムを取得してもよい。
【０１５５】
〔７．効果〕
上述してきたように、実施形態に係る決済装置１００は、受付部１３１と、決済部１３６とを有する。受付部１３１は、利用者によって選択された取引済で決済が行われていない複数の未払い取引の決済要求を一括して受け付ける。決済部１３６は、受付部１３１によって受け付けられた決済要求に対応する取引を決済する。
【０１５６】
これにより、実施形態に係る決済装置１００は、利用者が希望する取引を決済することができるので、利用者の利便性を向上させることができる。また、決済装置１００は、複数の取引をまとめて決済することができるので、利用者の支払いにかかる手間を減らすことができる。また、決済装置１００は、異なる店舗やショッピングモール、マーケットプレイス等の売り場に出店する店舗、実際に存在する実店舗等における取引をまとめて決済することができるので、利用者の支払いにかかる手間を減らすことができる。また、決済装置１００は、利用者が支払いたい対象を選択して決済することができるので、利用者の利便性を向上させることができる。また、決済装置１００は、利用者が希望するタイミングで未払い取引の決済をすることができるので、利用者の利便性を向上させることができる。また、決済装置１００は、取引済で決済が行われていない複数の未払い取引の決済要求を一括して受け付けることができるので、利用者の利便性を向上させることができる。
【０１５７】
また、実施形態に係る決済装置１００において、送信部１３４は、未払い取引の一覧を含む取引に関する情報を未払い取引の取引主の端末装置２０に送信する。
【０１５８】
また、実施形態に係る決済装置１００において、送信部１３４は、所定の優先順に並べた未払い取引の一覧を端末装置２０に送信する。
【０１５９】
また、変形例に係る決済装置１００において、送信部１３４は、未払い取引を未払い取引の支払期限、未払い取引が受け付けられた受付日または未払い取引の支払額に基づいて並べた未払い取引の一覧を端末装置２０に送信する。
【０１６０】
これにより、変形例に係る決済装置１００は、未払い取引の把握を容易にすることができるので、利用者の利便性を向上させることができる。
【０１６１】
また、変形例に係る決済装置１００において、受付部１３１は、利用者によって選択された未払い取引を受け付ける。送信部１３４は、受付部１３１によって受け付けられた未払い取引の支払額の合計額を示す識別子であって利用者が合計額を入金する際に用いる入金用の識別子に関する情報を利用者の端末装置２０に送信する。
【０１６２】
これにより、変形例に係る決済装置１００は、利用者が支払いたい未払い取引のみを決済することができるので、利用者の利便性を向上させることができる。
【０１６３】
また、変形例に係る決済装置１００において、登録部１３３は、未払い取引が受け付けられたときから所定の期間が経過した場合に、未払い取引を取消し取引として登録する。
【０１６４】
これにより、変形例に係る決済装置１００は、所定の期間が経過した取引を自動でキャンセルすることができるので、出品者の利便性を向上させることができる。また、利用者は、決済装置１００によって送信された取消し注文一覧を用いることで、注文を取り消された商品を容易に再注文することができる。また、出品者は、注文を取り消された商品の再注文が増えるので、売上を向上させることができる。
【０１６５】
また、変形例に係る決済装置１００において、入金部１３５は、未払い取引の取引主の入金を受け付ける。決済部１３６は、入金部１３５によって未払い取引の支払額以上の金額が入金された場合に、取引主が入金した入金額から支払額を引き落とす。
【０１６６】
これにより、変形例に係る決済装置１００は、未払い取引の支払額以上が入金されると自動で決済を完了することができるので、ユーザの手間を軽減することができる。また、決済装置１００は、未払い取引の支払額以上が入金されると自動で決済を完了することができるので、取引を取り止める利用者を減らすことができる。
【０１６７】
また、変形例に係る決済装置１００において、決済部１３６は、入金部１３５によって複数の未払い取引の支払額の合計額未満の金額が入金された場合に、複数の未払い取引のうち入金額未満の支払額の未払い取引を決済する。
【０１６８】
これにより、変形例に係る決済装置１００は、決済可能な未払い取引の決済を自動で完了することができるので、ユーザの手間を軽減することができるとともに、取引を取り止める利用者を減らすことができる。
【０１６９】
また、変形例に係る決済装置１００において、決済部１３６は、入金部１３５によって未払い取引の支払額の合計額未満の金額が入金された場合に、複数の未払い取引のうち入金額未満の支払額の未払い取引を、所定の優先順位の順に決済する。
【０１７０】
また、変形例に係る決済装置１００において、決済部１３６は、入金部１３５によって未払い取引の支払額の合計額未満の金額が入金された場合に、複数の未払い取引のうち入金額未満の支払額の未払い取引を、未払い取引の支払期限、未払い取引が受け付けられた受付日または未払い取引の支払額に応じた優先順位の順に決済する。
【０１７１】
これにより、変形例に係る決済装置１００は、決済可能な未払い取引を優先順位の順に自動で決済を完了することができるので、出品者の利益を向上させることができる。
【０１７２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１７３】
１０  サーバ装置
２０  端末装置
１００  決済装置
１２１  決済情報記憶部
１２２  口座情報記憶部
１３１  受付部
１３２  判定部
１３３  登録部
１３４  送信部
１３５  入金部
１３６  決済部
【図１】
2015203887.tif 000003
【図２】
2015203887.tif 000004
【図３】
2015203887.tif 000005
【図４】
2015203887.tif 000006
【図５】
2015203887.tif 000007
【図６】
2015203887.tif 000008
【図７】
2015203887.tif 000009
【図８】
2015203887.tif 000010
【図９】
2015203887.tif 000011
【図１０】
2015203887.tif 000012
【図１１】
2015203887.tif 000013
【図１２】
2015203887.tif 000014